(57)【要約】【課題】書込み装置、例えば電子黒板装置などにおいて、光源を点灯してから一定時間経過するまでの立上り時間内の読取品質を通常使用時の読取品質に近づけて、立上り時間内の画像品質を向上する。【解決手段】電子黒板装置は、書込みすることができる筆記シート１、その筆記シート１上の書込み内容を読み取る読取手段１４などを備える。その読取手段１４の光源１５点灯時から一定時間経過するまでの立上り時間内、電源から光源１５へ印加する電圧を、インバータを働かせて通常使用時よりも高くし、光源１５の光量を増加した立上り光量として、筆記シート１上の書込み内容を読取手段１４で読み取る。【選択図】          図２
2005057351.tif 000002
【特許請求の範囲】
【請求項１】
光源から発する光を読取位置で筆記シートにより反射してから、その光を光−電気変換器に入れて電気信号に変換して、前記筆記シート上の書込み内容を読取手段で読み取ることができる書込み装置において、
前記読取手段の光源点灯時から一定時間経過するまでの立上り時間内、電源から前記光源へ印加する電圧を通常使用時よりも高くし、前記光源の光量を増加した立上り光量として、前記筆記シート上の書込み内容を前記読取手段で読み取ることを特徴とする、書込み装置。
【請求項２】
前記読取手段がインバータを備え、前記立上り時間内、そのインバータを働かせて前記電源から光源へ印加する電圧を、通常使用時よりも高くすることを特徴とする、請求項１に記載の書込み装置。
【請求項３】
光源から発する光を読取位置で筆記シートにより反射してから、その光を光−電気変換器に入れて電気信号に変換して、前記筆記シート上の書込み内容を読取手段で読み取ることができる書込み装置において、
前記読取手段の光源点灯時から一定時間経過するまでの立上り時間内、前記光−電気変換器からの前記電気信号を増幅器で増幅する際、前記増幅器の増幅度を通常使用時に対して変更した立上り増幅度として、前記筆記シート上の書込み内容を前記読取手段で読み取ることを特徴とする、書込み装置。
【請求項４】
前記読取手段の読取濃度を複数段階とし、前記読取濃度が標準読取濃度よりも濃い設定の場合、前記立上り時間内の前記光源の光量を増加した前記立上り光量として、前記筆記シート上の書込み内容を前記読取手段で読み取ることを特徴とする、請求項１または２に記載の書込み装置。
【請求項５】
前記読取手段の読取濃度を複数段階とし、前記読取濃度が標準読取濃度よりも濃い設定の場合、前記立上り時間内の前記増幅器の増幅度を通常使用時に対して変更した前記立上り増幅度として前記筆記シート上の書込み内容を前記読取手段で読み取ることを特徴とする、請求項３に記載の書込み装置。
【請求項６】
前記立上り時間を前記光源の光量がほぼ安定するまでの時間とすることを特徴とする、請求項１ないし５のいずれか１に記載の書込み装置。
【請求項７】
前記光源の光量が安定するまでの時間を、１分とすることを特徴とする、請求項６に記載の書込み装置。
【請求項８】
前記読取手段の読取濃度の設定を、標準の読取濃度である「普通」と、その読取濃度よりも濃い読取濃度である「濃い」と、前記「普通」の読取濃度よりも薄い読取濃度である「薄い」との３段階とし、
前記立上り時間内、前記読取手段の読取濃度を、前記「普通」と「濃い」との中間濃度とした立上り読取濃度とすることを特徴とする、請求項４ないし７のいずれか１に記載の書込み装置。
【発明の詳細な説明】
【０００１】
【発明の属する技術分野】
この発明は、筆記シート上の書込み内容を読取手段で読み取る、例えば電子黒板装置、お絵書きボードなどの書込み装置に関する。
【０００２】
【従来の技術】
従来、この種の書込み装置において、例えば電子黒板装置には、書込みすることができる筆記シート、その筆記シート上の書込み内容を読み取る読取手段、その読取手段で読み取った読み取り内容を用紙に印刷出力するプリンタなどを備えていた。読取手段には、光源、ミラー、レンズ、光−電気変換器などを備えていた。
【０００３】
そして、筆記シート上に書込みを行ってから、その書込み内容を印刷したいときは、例えば筆記シートを搬送しながら、光源から発する光を読取位置で筆記シートより反射して後、その光をレンズやミラーを介して光−電気変換器に入れて電気信号に変換することにより、筆記シート上の書込み内容を読取手段で読み取って、プリンタで用紙に印刷出力していた。
【０００４】
しかし、そのような電子黒板装置の読取手段において、その読取手段が備える例えば蛍光灯などの光源の光量が、光源の点灯回数により変動して一定とならないため、同一の読取品質を得られない問題があった。
【０００５】
そのような問題を解決するため、従来の電子黒板装置の中には、例えば特許文献１に記載される技術があった。
【０００６】
【特許文献１】特開２０００−３６８９４号公報
特許文献１に記載の電子黒板装置は、製品出荷時からの光源の点灯回数、光源が消灯してから次に点灯するまでの消灯時間、製品出荷時からの光源の点灯総時間をカウントしていた。
【０００７】
そして、読取手段で書込み内容を読み取る場合、前述した回数や時間に応じて、読取手段の読取濃度を変更して、同一の読取品質を得ようとしていた。
【０００８】
そのような電子黒板装置において、従来、電源をＯＮとして後、一定の時間、いずれの操作キーも押さない場合、光源を消灯することで、消費電力を抑える省エネモードとするものがあった。
【０００９】
【発明が解決しようとする課題】
しかし、そのような従来の電子黒板装置において、省エネモードからの立上り時、光源を点灯した直後は光量が少なく一定時間経過しないと所定の光量とならないことに加えて、立上り時の光量の変動に応じて読取濃度を変更する技術も備えていないため、立上り時間内、光源の光量が少ないことにより筆記シートの地肌と書込み内容との濃淡の差がつかないので、通常使用時の読取品質に比べて立上り時間内の読取品質が悪く、プリンタで印刷出力した場合、印刷内容が通常よりも薄くなって読み取ることが困難となる、画像品質が低下する問題があった。そして、その問題は、省エネモードから光源を点灯する立上り毎に起きてしまった。
【００１０】
そこで、この発明の第１の目的は、書込み装置において、立上り時間内の読取品質を通常使用時の読取品質に近づけて、立上り時間内の画像品質を向上することにある。
【００１１】
この発明の第２の目的は、書込み装置において、不必要に電源の容量が大きくなることを防止しつつ、立上り時間内の画像品質を向上することにある。
【００１２】
ところで、従来の電子黒板装置において、読取手段の読取濃度の設定を、例えば、標準の読取濃度である「普通」と、その読取濃度よりも濃い読取濃度である「濃い」と、「普通」の読取濃度よりも薄い読取濃度である「薄い」との３段階とするものがあった。
【００１３】
そして、書込み内容が薄い場合、読取濃度の設定を「濃い」として、立上り時間内に読み取ると、筆記シートの地肌と書込み内容との濃淡の差がつかないので、読取品質が非常に悪い問題があった。そして、そのように非常に読取品質の悪いものをプリンタで印刷出力したとき、筆記シートの地肌まで印刷して用紙が黒くなって読み取ることが大変困難となる、画像品質が低下する問題があった。
【００１４】
そこで、この発明の第３の目的は、読取濃度を複数段階とする書込み装置において、特に読取濃度の設定を標準読取濃度より濃いとした場合の立上り時間内の画像品質を向上することにある。
【００１５】
この発明の第４の目的は、書込み装置において、立上り時間経過後、光源の光量が不必要に多くなることを防止して、読取品質が低下することを防止することにある。
【００１６】
この発明の第５の目的は、書込み装置において、光量を測定することなしに簡易に設定して立上り時間内の画像品質を向上することにより、書込み装置を安価に提供することにある。
【００１７】
この発明の第６の目的は、立上り時の光量の落ち込みに合わせて、読取濃度の設定を最適に変更することなしに簡易に設定して立上り時間内の画像品質を向上することにより、書込み装置を安価に提供することにある。
【００１８】
【課題を解決するための手段】
そのため、請求項１に記載の発明は、第１の目的を達成すべく、
光源から発する光を読取位置で筆記シートにより反射してから、その光を光−電気変換器に入れて電気信号に変換して、筆記シート上の書込み内容を読取手段で読み取ることができる書込み装置において、
読取手段の光源点灯時から一定時間経過するまでの立上り時間内、電源から光源へ印加する電圧を通常使用時よりも高くし、光源の光量を増加した立上り光量として、筆記シート上の書込み内容を読取手段で読み取ることを特徴とする。
【００１９】
請求項２に記載の発明は、第２の目的も達成すべく、
請求項１に記載の書込み装置において、
読取手段がインバータを備え、立上り時間内、そのインバータを働かせて電源から光源へ印加する電圧を、通常使用時よりも高くすることを特徴とする。
【００２０】
請求項３に記載の発明は、第１の目的を達成すべく、
光源から発する光を読取位置で筆記シートにより反射してから、その光を光−電気変換器に入れて電気信号に変換して、筆記シート上の書込み内容を読取手段で読み取ることができる書込み装置において、
読取手段の光源点灯時から一定時間経過するまでの立上り時間内、光−電気変換器からの電気信号を増幅器で増幅する際、増幅器の増幅度を通常使用時に対して変更した立上り増幅度として、筆記シート上の書込み内容を読取手段で読み取ることを特徴とする。
【００２１】
請求項４に記載の発明は、第３の目的も達成すべく、
請求項１または２に記載の書込み装置において、
読取手段の読取濃度を複数段階とし、読取濃度が標準読取濃度よりも濃い設定の場合、立上り時間内の光源の光量を増加した立上り光量として、筆記シート上の書込み内容を読取手段で読み取ることを特徴とする。
【００２２】
請求項５に記載の発明は、第３の目的も達成すべく、
請求項３に記載の書込み装置において、
読取手段の読取濃度を複数段階とし、読取濃度が標準読取濃度よりも濃い設定の場合、立上り時間内の増幅器の増幅度を通常使用時に対して変更した立上り増幅度として筆記シート上の書込み内容を読取手段で読み取ることを特徴とする。
【００２３】
請求項６に記載の発明は、第４の目的も達成すべく、
請求項１ないし５のいずれか１に記載の書込み装置において、
立上り時間を光源の光量がほぼ安定するまでの時間とすることを特徴とする。
【００２４】
請求項７に記載の発明は、第５の目的も達成すべく、
請求項６に記載の書込み装置において、
光源の光量が安定するまでの時間を、１分とすることを特徴とする。
【００２５】
請求項８に記載の発明は、第６の目的も達成すべく、
請求項４ないし７のいずれか１に記載の書込み装置において、
読取手段の読取濃度の設定を、標準の読取濃度である「普通」と、その読取濃度よりも濃い読取濃度である「濃い」と、「普通」の読取濃度よりも薄い読取濃度である「薄い」との３段階とし、
立上り時間内、読取手段の読取濃度を、「普通」と「濃い」との中間濃度とした立上り読取濃度とすることを特徴とする。
【００２６】
【発明の実施の形態】
以下、図面を参照しつつ、この発明の実施の形態につき説明する。
図１は、この発明の書込み装置の一例である電子黒板装置の概略構成を示す図である。図に示すように、電子黒板装置は、電子黒板本体２、操作部４、プリンタ５、スタンド６などを備えている。
【００２７】
電子黒板本体２は、一定の厚みを持ったプラスチックなどで形成された矩形の表示枠３内に、消去可能に書き込みを行うことのできる筆記シート１を搬送可能に張り渡し、第１書込面１ａを形成する。また、操作部４は、後述する操作キーにより電子黒板装置の各種操作を行うものである。
【００２８】
そして、プリンタ５は、筆記シート１上に書き込まれた内容を用紙に印刷出力するものである。さらに、スタンド６は、下部にキャスタ７を設け、電子黒板本体２を直立状態で支えるものである。なお、プリンタ５は、取付部材８によりスタンド６に取り付けている。
【００２９】
そのような電子黒板本体２は、図２に示すように、フレーム９の内部にシート搬送手段１９、読取手段１４などを備えるとともに、電子黒板の使用時、それら搬送手段１９、読取手段１４などを作動する不図示の電源などを備える。
【００３０】
シート搬送手段１９は、駆動ローラ１１と従動ローラ１２を備える。そのような駆動ローラ１１と従動ローラ１２との間には、筆記シート１を掛け回して、表側に第１書込面１ａを、裏側に第２書込面１ｂを形成する。
【００３１】
また、駆動ローラ１１には、図示しない駆動源であるステッピングモータを接続する。一方、従動ローラ１２には、図示しないシートテンション機構を設け、筆記シート１に張力を与えている。さらに、第１書込面１ａの裏面側には、スクリーンボード１３を設けている。
【００３２】
また、筆記シート１の裏側には、第１書込面１ａ、または第２書込面１ｂに書込まれた書込み内容を、読取位置Ｐにおいて読み取る読取手段１４を備える。その読取手段１４は、光源１５、ミラー１６、レンズ１７、光―電気変換器であるＣＣＤ１８を備える。
【００３３】
そのような読取手段１４には、例えば、電源から光源１５へ印加する電圧を通常使用時よりも高くする不図示のインバータを備える。
【００３４】
そして、操作部４は、詳しくは図３に示すように構成されている。すなわち、操作部４には、電子黒板装置の電源のＯＮ、ＯＦＦを行う電源キー２２、筆記シート１の先送りを行う送りキー２３、筆記シート１の逆戻しを行う戻しキー２４、プリンタ５のヘッドをクリーニングするクリーニングキー２５、読取濃度を変更する濃度キー２６、コピーモードを変更するモードキー２７、コピー枚数を変更する枚数キー２８、印刷を開始するコピーキー２９、コピーを中断するコピーストップキー３０などの複数の操作キーを備えている。なお、電源キー２２をＯＮにすると、読取濃度は標準の読取濃度である「普通」に、コピーモードは標準に、コピー枚数は１枚に初期設定される。
【００３５】
加えて、電源がＯＮのときに点灯する電源ＬＥＤ３１、紙詰まりなどのエラーが発生したときに点灯するエラーＬＥＤ３２、クリーニング作動中に点灯するクリーニングＬＥＤ３３、濃度キー２６により読取濃度を「普通」の読取濃度よりも濃い読取濃度である「濃い」と設定したときに点灯する濃いＬＥＤ３４、「普通」の読取濃度よりも薄い読取濃度である「薄い」と設定したときに点灯する薄いＬＥＤ３５、モードキー２７により追加コピーを設定したときに点灯する追加ＬＥＤ３６、第１書込面１ａおよび第２書込面１ｂの書込み内容を１枚の用紙にコピーする、２ページ集約を設定したときに点灯する２ページ集約ＬＥＤ３７、枚数キー２８が押される毎に１〜９までの数字を変化して表示するセグメントＬＥＤ３８などの複数のＬＥＤを備えている。
【００３６】
また、図４は、電子黒板本体２が備える制御手段４５のブロック図である。その制御手段４５は、例えばメイン制御基板４５ａを備え、そのメイン制御基板４５ａには、ＣＰＵ４１、ゲートアレイ４２、ＲＡＭ４４、ＲＯＭ４３を設ける。
【００３７】
前述のＣＰＵ４１は中央演算装置であり、ゲートアレイ４２は電子黒板装置が備えるシート搬送手段１９などにＣＰＵ４１が信号を送る際にその信号の入出力を制御するものである。また、ＲＯＭ４３は、電子黒板装置を制御する各種のプログラムを格納するものであり、ＲＡＭ４４は、読取手段１４で読み取った書込み内容を格納するものである。
【００３８】
なお、ＣＰＵ４１には、筆記シート１の読み取りエリアをライン数としてカウントするラインカウンタを備える。このラインカウンタは、詳しくは、ゲートアレイ４２から一定の間隔で送出される信号をＣＰＵ４１が受信し、この信号をもとに筆記シート１に設定されたライン数をカウントして、筆記シート１の読み取りエリアを把握するものであり、例えば、第１書込面１ａの長さは、２２１５ラインと設定されている。
【００３９】
そして、このように構成された電子黒板装置を使用するときは、図３に示す操作部４の電源キー２２を押して、プログラム開始時に必ず行うＲＡＭチェックをし、ワークエリアのチェック後、図２に示す光源１５を点灯するとともに、電源ＬＥＤ３１を点灯して、電源ＯＮとする。次に、図１の第１書込面１ａに、ペンを用いて絵や文字などを書込みを行う。
【００４０】
やがて、書込み内容が第１書込面１ａにいっぱいとなったら送りキー２３を押して筆記シート１を送り、第２書込面１ｂを表示枠３に臨ませ、続けて絵や文字などを第２書込面１ｂに書込む。そして、第１書込面１ａの書込み内容を見たいときは、戻しキー２４を押し、筆記シート１を戻し、第１書込面１ａを表示枠３に臨ませる。
【００４１】
一方、エラーが生じたときには、図３に示すエラーＬＥＤ３２が点灯し、ユーザーに警告する。
【００４２】
そして、第１書込面１ａの書込み内容を読み取って印刷するには、操作部４のコピーキー２９を押す。
【００４３】
すると、図５において、操作部４から送信された信号が、ＣＰＵ４１にコピーの開始を通知する。これにより、図２において、図示しないステッピングモータが、駆動ローラ１１を回転させて筆記シート１を矢印のａ方向に搬送し、第１書込面１ａの先端から読取位置Ｐを順次通過して、読取手段１４が第１書込面１ａの書込み内容を順次読み取る。すなわち、光源１５から発する光を読取位置Ｐで筆記シート１より反射してから、その光を、ミラー１６、レンズ１７を介してＣＣＤ１８に入れて電気信号に変換し、図５において、変換後の電気信号とした読取内容をＲＡＭ４４に格納して後、プリンタ５に送信して用紙に読取内容を印刷出力することによりコピーがなされる。
【００４４】
なお、前述のように、電源キー２２をＯＮにすると、読取濃度は「普通」に、コピーモードは標準に、コピー枚数は１枚に初期設定されるので、読取濃度を変更するときは濃度キー２６を、コピーモードを変更するときはモードキー２７を、コピー枚数を変更するときは枚数キー２８を必要に応じてそれぞれ押して変更して後、コピーキー２９を押して、変更した内容で用紙に印刷する。
【００４５】
そして、電子黒板の使用を終了するときは、再度、電源キー２２を押してＯＦＦすると、電源ＬＥＤ３１が消灯する。
【００４６】
そのような電子黒板装置において、図３に示す電源キー２２を押して電源をＯＮにして後、一定の時間、例えば３０分間の内に、操作部４の送りキー２３、戻しキー２４、クリーニングキー２５、濃度キー２６、モードキー２７、枚数キー２８、コピーキー２９、コピーストップキー３０のいずれの操作キーも押されない場合、図２に示す読取手段１４の光源１５を消灯し、それにより消費電力を抑える省エネモードとなる。および、コピー終了後、一定の時間、例えば３０分間の内に、操作部４のいずれの操作キーも押されない場合、省エネモードとなる。そこで、そのような省エネモードからの立上りのフローを、図６を用いて説明する。
【００４７】
Ｓ１では、いずれかの操作キーが押されるかを判定する。操作キーが押されて入力がある場合、Ｓ２に進む。一方、いずれの操作キーも押されずに入力がない場合、ループを形成して操作キーが押されるまで待機する。
【００４８】
Ｓ２では、Ｓ１で押された操作キーが、コピーキー２９であるかどうか判定する。コピーキー２９でなければ、Ｓ３に進んで、押された操作キーの種類に基いて入力内容を処理をし、操作キー入力処理後、図２に示す光源１５を再点灯してから、次の操作キーが押されるまで待機する。例えば、濃度キー２６を押した場合、読取濃度の設定を「薄い」とし、濃度キー２６の入力処理後、図２に示す光源１５を再点灯してから、次の操作キーが押されるまで待機する。一方、コピーキー２９であれば図２に示す光源１５を再点灯してから、Ｓ４に進む。
【００４９】
Ｓ４では、光源１５再点灯時から現在まで、どれくらいの時間が経過しているかを判断し、設定した立上り時間内かどうかを判定する。立上り時間内であればＳ５に進む一方、立上り時間外であればＳ７に進む。
【００５０】
Ｓ５では、読取濃度の設定が「濃い」であるか判定する。読取濃度の設定が「濃い」であれば、Ｓ６に進む一方、「普通」または「薄い」であれば、Ｓ７に進む。
【００５１】
Ｓ６では、例えば読取手段１４が備えるインバータを働かせて、電源から光源１５へ印加する電圧を通常使用時よりも高くし、光源１５の光量を増加した「立上り光量」に設定して、Ｓ８に進む。
【００５２】
一方、Ｓ７では、インバータによって電源から光源１５へ印加する電圧を変えず、光源１５を通常設定通りのままとして、Ｓ８に進む。
【００５３】
Ｓ８では、上述したのと同様にして、図２に示す筆記シート１上の書込み内容を読取手段１４で読み取ってから、プリンタ５によって読取内容を用紙に印刷出力（コピー処理）する。
【００５４】
このようにして、読取手段１４の光源１５点灯時から一定時間経過するまでの立上り時間内、電源から光源１５へ印加する電圧を通常使用時よりも高くし、光源１５の光量を増加した立上り光量として、筆記シート１上の書込み内容を読取手段１４で読み取るので、立上り時における光源１５の光量をアップして通常使用時の光量に近づけ、筆記シート１の地肌と書込み内容との濃淡の差をつけて、立上り時間内の読取品質を通常使用時の読取品質に近づけるから、立上り時間内の画像品質を向上することができる。
【００５５】
加えて、読取手段１４の読取濃度を複数段階とし、読取濃度が標準読取濃度よりも濃い設定の場合、立上り時間内の光量を増加した立上り光量として、筆記シート１上の書込み内容を読取手段１４で読み取るので、読取濃度の設定を標準読取濃度より特に濃いとした場合、書込み内容と筆記シート１の地肌との濃淡の差をつけるから、立上り時間内の画像品質を向上することができる。
【００５６】
なお、前述した例では、読取濃度の設定を「薄い」「普通」「濃い」の３段階とし、読取濃度が「濃い」場合、立上り時間内の光量を増加した立上り光量として筆記シート１上の書込み内容を読取手段１４で読み取るものを説明したが、この発明はそれに限られず、読取濃度の設定を例えば５段階などの複数段階とし、読取濃度が「濃い」場合、または読取濃度が「少し濃い」もしくは「濃い」場合、立上り時間内の光量を増加した立上り光量として筆記シート１上の書込み内容を読取手段１４で読み取るようにしても同様の効果を得ることができる。加えて、前述した例では、読取濃度の設定を３段階、または５段階とするもので説明したが、この発明はそれに限られず、２段階などの複数段階とするものに適用することができる。
【００５７】
また、前述した例では、読取濃度の設定が「濃い」場合に、立上り時間内の光源１５の光量を増加した立上り光量とするものを説明したが、この発明はそれに限られず、読取濃度が「薄い」「普通」「濃い」のいずれの場合でも、立上り時間内の光源１５の光量を増加した立上り光量としても良い。
【００５８】
さらに、前述した例では、省エネモードからの立上りにおいて、立上り時間内の光源１５の光量を増加した立上り光量とするものを説明したが、この発明はそれに限られず、電源ＯＦＦからＯＮとしたときからの立上りにおいても当然に、立上り時間内の光源１５の光量を増加した立上り光量とする。
【００５９】
またさらに、前述した例では、読取手段１４がインバータを備え、立上り時間内、インバータを働かせて、電源から光源１５へ印加する電圧を通常使用時よりも高くし、光源１５の光量を増加した立上り光量として、筆記シート１上の書込み内容を読取手段１４で読み取るものを説明したが、この発明は、それに限られず、読取手段１４が、ＣＣＤ１８からの電気信号を増幅または減衰する不図示の増幅器を備え、立上り時間内、増幅器の増幅度を通常使用時に対して変更した立上り増幅度とし、ＣＣＤ１８からの電気信号を増幅器によって増幅して、筆記シート１上の書込み内容を読取手段１４で読み取れば、前述した効果と同様の効果を得ることができる。
【００６０】
加えて、読取手段１４の読取濃度を複数段階とし、読取濃度が標準読取濃度よりも濃い設定の場合、立上り時間内の増幅器の増幅度を通常使用時に対して変更した立上り増幅度として、筆記シート１上の書込み内容を読取手段１４で読み取れば、読取濃度の設定を標準読取濃度より特に濃いとした場合、書込み内容と筆記シート１の地肌との濃淡の差をつけるから、立上り時間内の画像品質を向上することができる。
【００６１】
なお、そのような電子黒板装置において、立上り時間を光源１５の光量がほぼ安定するまでの時間とすれば、立上り時間経過後、光源１５の光量が不必要に多くなることを防止して、読取品質が低下することを防止することができる。
【００６２】
加えて、光源１５の光量が安定するまでの時間を１分とすれば、立上り時間を、光量を測定することなしに簡易に設定して立上り時間内の画像品質を向上することにより、電子黒板装置を安価に提供することができる。
【００６３】
ところで、この発明による別の電子黒板装置の省エネモードからの立上りのフローを、図７を用いて説明する。図７に示すフローは、図６に示すフローのＳ６をＳ１６に、Ｓ７をＳ１７に代えたものである。
【００６４】
Ｓ１６では、読取濃度の設定を、「普通」と「濃い」との中間濃度とした「立上り読取濃度」とするとともに、図示省略するが、光源１５の光量を増加した立上り光量、または増幅器の増幅度を変更した立上り増幅度としてから、Ｓ８に進む。
【００６５】
一方、Ｓ１７では、読取濃度を設定通りとして、Ｓ８に進む。
【００６６】
このようにして、読取手段１４の読取濃度の設定を、標準の読取濃度である「普通」と、その読取濃度よりも濃い読取濃度である「濃い」と、「普通」の読取濃度よりも薄い読取濃度である「薄い」との３段階とし、立上り時間内、読取濃度の設定を「普通」と「濃い」との中間濃度とした立上り読取濃度とすれば、立上り時の光量の落ち込みに合わせて読取濃度の設定を最適に変更することなしに簡易に設定して立上り時間内の画像品質を向上することにより、電子黒板装置を安価に提供することができる。
【００６７】
ところで、上述した例における電子黒板装置には、筆記シート１上に、第１書込面１ａと第２書込面１ｂの２面の書込面を備えていたが、図８に示すように、例えば４面の書込面を備えるように、第１書込面１ａと第２書込面１ｂに加えて、第３書込面１ｃ、第４書込面１ｄの計４面の書込面を備えても良い。
【００６８】
この場合、従動ローラ１２に従動ローラ５１・５２を追加してシート搬送手段１９を構成し、駆動ローラ１１および従動ローラ１２・５１・５２の間には、筆記シート１を掛け回し、表示枠３内の書込面を第１書込面１ａとすると、順に、第２書込面１ｂ、第３書込面１ｃ、第４書込面１ｄを形成する。なお、その他の構成において、図２に示したものと同様のものには同一の符号を付して説明を省略する。
【００６９】
そのような電子黒板装置が備える操作部４を、図９に示す。操作部４には、モードキー２７に対応した表示ＬＥＤとして、第１〜第４書込面１ａ・１ｂ・１ｃ・１ｄの書込み内容を１枚の用紙にコピーする、４ページ集約を設定したときに点灯する４ページ集約ＬＥＤ３９と、第１〜第４書込面１ａ・１ｂ・１ｃ・１ｄの書込み内容を連続的に４枚の用紙にコピーする、４ページ連続を設定したときに点灯する４ページ連続ＬＥＤ４０が、図３に示したものに追加される。なお、その他の構成において、図３に示したものと同様のものには同一の符号を付して説明を省略する。
【００７０】
なお、上述した例では、書込面を２面または４面とするものを示したが、この発明は、それらに限られず、書込み面を例えば３面・５面などの複数の面を備えるようにしてももちろん良い。
【００７１】
【発明の効果】
以上説明したとおり、請求項１に係る発明によれば、書込み装置にあって、読取手段の光源点灯時から一定時間経過するまでの立上り時間内、電源から光源へ印加する電圧を通常使用時よりも高くし、光源の光量を増加した立上り光量として、筆記シート上の書込み内容を読取手段で読み取るので、立上り時における光源の光量をアップして通常使用時の光量に近づけ、筆記シートの地肌と書込み内容との濃淡の差をつけて、立上り時間内の読取品質を通常使用時の読取品質に近づけるから、立上り時間内の画像品質を向上することができる。
【００７２】
請求項２に係る発明によれば、書込み装置にあって、読取手段がインバータを備え、立上り時間内、そのインバータを働かせて電源から光源へ印加する電圧を、通常使用時よりも高くするので、不必要に電源の容量が大きくなることを防止しつつ、立上り時間内の画像品質を向上することができる。
【００７３】
請求項３に係る発明によれば、書込み装置にあって、読取手段の光源点灯時から一定時間経過するまでの立上り時間内、光−電気変換器からの電気信号を増幅器で増幅する際、増幅器の増幅度を通常使用時に対して変更した立上り増幅度として、筆記シート上の書込み内容を読取手段で読み取るので、立上り時における増幅器の増幅度を変更して、筆記シートの地肌と書込み内容との濃淡の差をつけ、立上り時間内の読取品質を通常使用時の読取品質に近づけるから、立上り時間内の画像品質を向上することができる。
【００７４】
請求項４に係る発明によれば、書込み装置にあって、読取手段の読取濃度を複数段階とし、読取濃度が標準読取濃度よりも濃い設定の場合、立上り時間内の光源の光量を増加した立上り光量として、筆記シート上の書込み内容を読取手段で読み取るので、読取濃度の設定を標準読取濃度より特に濃いとした場合、書込み内容と筆記シートの地肌との濃淡の差をつけるから、立上り時間内の画像品質を向上することができる。
【００７５】
請求項５に係る発明によれば、書込み装置にあって、読取手段の読取濃度を複数段階とし、読取濃度が標準読取濃度よりも濃い設定の場合、立上り時間内の増幅器の増幅度を通常使用時に対して変更した立上り増幅度として、筆記シート上の書込み内容を読取手段で読み取るので、読取濃度の設定を標準読取濃度より特に濃いとした場合、書込み内容と筆記シートの地肌との濃淡の差をつけるから、立上り時間内の画像品質を向上することができる。
【００７６】
請求項６に係る発明によれば、書込み装置にあって、立上り時間を光源の光量がほぼ安定するまでの時間とするので、立上り時間経過後、光源の光量が不必要に多くなることを防止して、読取品質が低下することを防止することができる。
【００７７】
加えて、立上り時間を光源の光量がほぼ安定するまでの時間とするので、立上り時間経過後、電源から光源へ印加する電圧を不必要に高くすることを防止できるから、ランニングコストを安価にすることができる。
【００７８】
請求項７に係る発明によれば、書込み装置にあって、光源の光量が安定するまでの時間を、１分とするので、立上り時間を、光量を測定することなしに簡易に設定して立上り時間内の画像品質を向上することにより、書込み装置を安価に提供することができる。
【００７９】
請求項８に係る発明によれば、書込み装置にあって、読取手段の読取濃度の設定を、標準の読取濃度である「普通」と、その読取濃度よりも濃い読取濃度である「濃い」と、「普通」の読取濃度よりも薄い読取濃度である「薄い」との３段階とし、立上り時間内、読取手段の読取濃度を、「普通」と「濃い」との中間濃度とした立上り読取濃度とするので、立上り時の光量の落ち込みに合わせて読取濃度の設定を最適に変更することなしに簡易に設定して立上り時間内の画像品質を向上することにより、書込み装置を安価に提供することができる。
【図面の簡単な説明】
【図１】この発明による書込み装置の一例としての電子黒板装置の概略正面図である。
【図２】その電子黒板装置の概略横断面図である。
【図３】その電子黒板装置が備える操作部の平面図である。
【図４】その電子黒板装置が備えるメイン制御基板の平面図である。
【図５】その電子黒板装置が備える制御回路のブロック図である。
【図６】その電子黒板装置のフローチャートの一例である。
【図７】この発明による電子黒板装置のフローチャートの別の一例である。
【図８】この発明による別の電子黒板装置の概略横断面図である。
【図９】その電子黒板装置が備える操作部の平面図である。
【符号の説明】
１      筆記シート
１４    読取手段
１５    光源
１８    ＣＣＤ（光−電気変換器）
Ｐ      読取位置
【図１】
2005057351.tif 000003
【図２】
2005057351.tif 000004
【図３】
2005057351.tif 000005
【図４】
2005057351.tif 000006
【図５】
2005057351.tif 000007
【図６】
2005057351.tif 000008
【図７】
2005057351.tif 000009
【図８】
2005057351.tif 000010
【図９】
2005057351.tif 000011